(57)【特許請求の範囲】
【請求項１】
機体ハウジングと、
該機体ハウジングに配設された感光体ドラムと、
該感光体ドラムに対して進退可能に該機体ハウジングに配設された移動載置板と、
該機体ハウジングの手前側から該移動載置板上に着脱可能に載置される現像装置と、
該現像装置および該移動載置板を該感光体ドラムに近接する押圧位置と該押圧位置から後退する押圧解除位置に作動せしめる押圧作動機構と、
該現像装置にトナーを供給する作用位置と該作用位置から退避する開放位置の間を作動可能に構成されたトナー補給装置と、を具備する画像形成機において、
該押圧作動機構は、該機体ハウジングに配設された手前側側板の手前側側面における該移動載置板の装着位置と対応する位置に配設された押圧レバーを備え、
該押圧レバーは、現像装置を該押圧位置に位置付ける第１の位置と、現像装置を該押圧解除位置に位置付ける第２の位置に作動可能に構成されており、該第１の位置に位置付けられた状態では該トナー補給装置の該開放位置から該作用位置への作動を許容し、該第２の位置に位置付けられた状態では該トナー補給装置の該開放位置から該作用位置への作動を規制するように構成されている、
ことを特徴とする画像形成機。
【発明の詳細な説明】
【０００１】
【発明の属する技術分野】
本発明は、静電式複写機および静電式印刷機等の画像形成機、更に詳しくは機体ハウジングに現像装置を着脱可能に装着するように構成した画像形成機に関する。
【０００２】
【従来の技術】
静電式複写機や静電式印刷機等の画像形成機においては、機体ハウジングに配設された像担持体としての感光体ドラムに形成された静電潜像をトナーに現像するための現像装置を備えている。現像装置は、所定時間稼働すると現像装置をユニット毎に交換する方式が実用化されている。現像装置の交換を容易にするためには、現像装置を機体ハウジングに着脱可能に装着する構成となるが、一般的には、機体ハウジングの手前側から現像装置を装着および引き出す方式が採られている。また、機体ハウジングに装着された現像装置は、画像形成時には感光体ドラムに近接する押圧位置に位置付けられ、そして、現像装置を取り出すときには上記押圧位置から後退した押圧解除位置に作動させる必要がある。このため、画像形成機は現像装置を押圧位置と押圧解除位置とに位置付ける押圧手段を具備している。
【０００３】
一方、画像形成機には、現像の遂行に従って消費されるトナーを補給するためにトナー補給装置が配設される。トナー補給装置は、トナーカートリッジと、該トナーカートリッジを装着しトナーを機体ハウジングに装着された現像装置に供給するホッパーとを具備している。このトナー補給装置は、トナーカートリッジの交換作業の容易性を考慮して機体ハウジングにおける現像装置装着位置の手前側に配設するように構成されているのが一般的である。そして、トナー補給装置は、現像装置を交換する際に邪魔にならないようにするために、現像装置と対向する作用位置と、該作用位置から水平面内において略９０度の角度を回動した開放位置に位置付けられるように構成されている。
【０００４】
【発明が解決しようとする課題】
而して、現像装置を機体ハウジングに着脱可能に装着するように構成した画像形成機においては、上記押圧位置で現像装置を機体ハウジングから引き出すと、感光体ドラムと現像装置の現像剤適用手段を構成するスリーブ部材が擦れて、感光体ドラムおよびスリーブ部材を損傷するという問題がある。従って、現像装置は上記押圧位置から後退した押圧解除位置に位置付けられないと機体ハウジングから引き出すことができない構成にすることが望ましい。
【０００５】
また、現像装置を機体ハウジングに着脱可能に装着するように構成した画像形成機においては、画像形成時には現像装置を上記押圧位置に位置付る必要があり、現像装置の交換時に新しい現像装置を装着した後、押圧位置への位置付け操作を忘れて、押圧解除位置に現像装置が位置付けられた状態で画像形成動作が行われても適正なトナー像を形成することができない。従って、現像装置の交換作業が完了した状態において、現像装置は上記押圧位置に位置付けられていることが望ましい。
【０００６】
本発明は上記事実に鑑みてなされたものであり、第１の技術的課題は、現像装置を押圧解除位置に位置付けないと機体ハウジングから引き出すことができない構成とすることにより、現像装置の着脱時に感光体ドラムと現像装置の現像剤適用手段を構成するスリーブ部材が擦れて損傷することを未然に防止することができる画像形成機を提供することである。
【０００７】
また、本発明の第２の技術的課題は、現像装置の交換作業が完了した状態においては現像装置が押圧位置に位置付けられるように構成することにより、現像装置の交換時に押圧位置への位置付け忘れによって生ずる現像不良を未然に防止することができる画像形成機を提供することである。
【０００８】
【課題を解決するための手段】
上記技術的課題を達成するために、本発明によれば、機体ハウジングと、
該機体ハウジングに配設された感光体ドラムと、
該感光体ドラムに対して進退可能に該機体ハウジングに配設された移動載置板と、
該機体ハウジングの手前側から該移動載置板上に着脱可能に載置される現像装置と、
該現像装置および該移動載置板を該感光体ドラムに近接する押圧位置と該押圧位置から後退する押圧解除位置に作動せしめる押圧作動機構と、
該現像装置にトナーを供給する作用位置と該作用位置から退避する開放位置の間を作動可能に構成されたトナー補給装置と、を具備する画像形成機において、
該押圧作動機構は、該機体ハウジングに配設された手前側側板の手前側側面における該移動載置板の装着位置と対応する位置に配設された押圧レバーを備え、
該押圧レバーは、現像装置を該押圧位置に位置付ける第１の位置と、現像装置を該押圧解除位置に位置付ける第２の位置に作動可能に構成されており、該第１の位置に位置付けられた状態では該トナー補給装置の該開放位置から該作用位置への作動を許容し、該第２の位置に位置付けられた状態では該トナー補給装置の該開放位置から該作用位置への作動を規制するように構成されている、
ことを特徴とする画像形成機が提供される。
【００１０】
【発明の実施の形態】
以下、本発明に従って構成された画像形成機の好適実施形態につて、添付図面を参照して詳細に説明する。
【００１１】
図１および図２には本発明に従って構成された画像形成機としての静電複写機が示されている。図示の静電複写機は、直方体状の機体ハウジング２を具備している。この機体ハウジング２の上面には、複写すべき原稿が載置される静止透明板４と、この静止透明板４およびその上に載置される原稿を覆うための開閉可能な原稿押さえ板５が配設されている。機体ハウジング２内の略中央部には、図１に示すように感光体ドラム６が回転自在に配設されている。この感光体ドラム６は、図示しない駆動手段によって矢印６０で示す方向に回転駆動される。該感光体ドラム６の周囲には、矢印６０で示す回転方向に見て順次に、帯電用コロナ放電器８、現像装置１０、転写用コロナ放電器１２、剥離用コロナ放電器１４、クリーニングユニット１６および除電ランプ１８が配設されている。図示の静電複写機は、上記感光体ドラム６の上方に配設された照射ランプ２０、第１のミラー２２、第２のミラー２４、第３のミラー２６、レンズ２８、第４のミラー３０からなる光学系を具備している。この光学系は、照射ランプ２０によって静止透明板４上に置かれた原稿に照射し、その反射光像を第１のミラー２２、第２のミラー２４、第３のミラー２６、レンズ２８および第４のミラー３０を介して上記感光体ドラム８の外周面上に結像するように構成されている。図示の静電複写機は、上記転写用コロナ放電器１２と感光体ドラム６との間の転写域に転写紙を供給するための転写紙供給装置３２を備えている。該転写紙供給装置３２は、転写紙を収納する転写紙カセット３４ａ、３４ｂ、転写紙送出ローラ３６ａ、３６ｂ、さばきローラ対３８ａ、３８ｂ、案内路４０、搬送ローラ対４２および４４、レジストローラ対４６を具備している。このように構成された転写紙供給装置３２の上記各ローラ対は、図示しない駆動手段によって各々回転駆動せしめられる。また、上記転写域の転写紙送出側には転写紙搬送ベルト機構４８、定着装置５０を構成する定着ローラ対５２および排出ローラ対５４が配設されており、これら搬送ベルト機構および各ローラは図示しない駆動手段によって各々回転駆動せしめられる。なお、上記各部材を配設した機体ハウジング２の前面には、図２に示すように前カバー２ａがその下縁を支点として開閉可能に装着されている。
【００１２】
以上のように構成された静電複写機は、感光体ドラム６が矢印６０で示す方向に回転駆動せしめられる間に、帯電用コロナ放電器８が感光体ドラム６上の感光体を特定極性に実質上均一に帯電し、次いで、照射ランプ２０によって静止透明板４上に置かれた原稿に照射し、その反射光像が第１のミラー２２、第２のミラー２４、第３のミラー２６、レンズ２８および第４のミラー３０を介して前記感光体ドラム６上に走査露光され、感光体ドラム６上に静電潜像が形成される。しかる後、感光体ドラム６上の静電潜像が現像装置１０によってトナー像に現像される。一方、転写紙供給装置３２の転写紙カセット３４ａまたは３４ｂに収納された転写紙が転写紙送出ローラ３６ａまたは３６ｂから案内路４０に送り出され、レジストローラ対４６で一端停止し、上記感光体ドラム６に形成されるトナー像と同期して転写域に搬送される。転写域に搬送された転写紙は、トナー像が形成された感光体ドラム６と転写用コロナ放電器１２の間を通過することによってトナー像が転写される。そして、トナー像が転写された転写紙は、剥離用コロナ放電器１４の作用によって感光体ドラム６から剥離され、転写紙搬送ベルト機構４８によって定着装置５０に搬送され、ここで加熱定着されて、排出ローラ対５４から排出トレイ５６に排出される。また、上述のようにして転写工程が終了した感光体ドラム６は、クリーニングユニット１６によってその外周面に付着しているトナーが除去され、更に、除電ランプ１８によって感光体表面に除電光が照射され、除電される。
【００１３】
次に、現像装置１０について図３乃至図８を参照して説明する。図示の現像装置１０は現像ハウジング１００を具備している。適宜の合成樹脂から成形することができる現像ハウジング１００は、底壁１０１と後壁１０２と前端壁１０３と後端壁１０４および現像ハウジング１００の上方を覆うカバー壁１０５を含んでいる。現像ハウジング１００を構成する底壁１０１には、前後方向（幅方向）（図４において紙面に垂直方向、図５において左右方向）に隔壁１０７が一体形成されており、該隔壁１０７によって現像ハウジング内が第１の搬送路１００ａと第２の搬送路１００ｂを区画形成されている。この隔壁１０７は、現像ハウジング１００の底壁１０１から実質上鉛直に上方に突出せしめられており、その下端部両側面は凹円弧形状に形成されている。隔壁１０７の前後方向（幅方向）両端部には夫々現像剤移送口１０７ａおよび１０７ｂが設けられ、上記第１の搬送路１００ａと第２の搬送路１００ｂが連絡されている。隔壁１０７が設けられた底壁１０１には図４および図５に示すように前後方向（幅方向）に延びる案内溝１０１ａが奥側端から手前側端に渡って形成されている。なお、案内溝１０１ａの奥側端部（図５において右端部）には、水平方向両側に広がる案内部１０１ｂが形成されている。現像ハウジング１００のカバー壁１０５の自由端側には穂切り板１０８がビス１０８ａによって装着されている。この穂切り板１０８は、その下縁が後述する現像剤適用手段１１０のスリーブ部材１１１の周表面に近接して位置せしめられており、スリーブ部材１１１の周表面に保持されて現像域に搬送される現像剤の量を規制する所謂穂切手段として機能する。また、カバー壁１０５の上面には穂切りカバー１０６が装着されている。この穂切りカバー１０６は図４に示すようにカバー部１０６ａと装着部１０６ｂとからなり、アルミ合金等の板材を折り曲げ形成して構成されている。穂切りカバー１０６を構成する装着部１０６ｂの端部には、図３に示すようにその中央部に舌片部１０６ｃが設けられている。このように構成された穂切りカバー１０６は、装着部１０６ｂがビス１０６ｅ、１０６ｅによってカバー壁１０５の上面に装着されている。なお、穂切りカバー１０６の自由端部にはシート状シール部材１０９が装着されている。このシート状シール部材１０９は、例えばポリエチレンテレフタレート（ＰＥＴＰ）樹脂等の可撓性を有するシート部材によって構成されており、上記穂切りカバー１０６の自由端部に接着剤によって装着され、その自由端が感光体ドラム６の周表面に軽く接触している。なお、図示の実施形態においては、上記現像ハウジング１００の手前側端には手前側端板１４５がビス等の固定手段によって取付けられている。この手前側端板１４５は合成樹脂によって形成され、その下端部中央に把手１４６が一体成形されている（図３および図７参照）。
【００１４】
上記現像ハウジング１０の最前部（図４において最左部）には現像剤適用手段１１０が配設されている。この現像剤適用手段１１０は、実質上水平に幅方向に延在するスリーブ部材１１１とこのスリーブ部材１１１内に配設された永久磁石部材１１２とから構成されている。スリーブ部材１１１はアルミニウム等の非磁性材によって構成され回転自在に装着されており、永久磁石部材１１２は所定位置に固定されている。スリーブ部材１１１が固定されている回転軸１１３は現像ハウジング１００の後端壁１０４を貫通して後方に突出しており、その突出端部には入力歯車１１４が装着されている。この入力歯車１１４は上記感光体ドラム２の入力歯車（図示していない）を介して電動モータでよい回転駆動源（図示していない）に駆動連結されており、矢印１１５で示す方向に回転駆動せしめられる。
【００１５】
上記現像剤適用手段１１０の後方（図４において右方）に現像剤攪拌搬送手段１２０が配設されている。この現像剤攪拌搬送手段１２０は、図示の実施例においては上記第１の搬送路１００ａに配設された第１のスパイラルローラ１２１と、上記第２の搬送路１００ｂに配設された第２のスパイラルローラ１２２と、該第２のスパイラルローラ１２２と上記現像剤適用手段１１０との間に配設されたパドルローラ１２３を含んでいる。これら第１のスパイラルローラ１２１と第２のスパイラルローラ１２２およびパドルローラ１２３の各々の回転軸は、現像ハウジング１００の後端壁１０４を貫通して後方に突出しており、その突出端部には図示しない各々入力歯車が装着されており、この入力歯車が上記現像剤適用手段１１０の入力歯車１１４と伝動連結され、各々矢印で示す方向に回転駆動せしめられる。矢印で示す方向に回転駆動される第１のスパイラルローラ１２１は現像剤を攪拌しつつ手前側から奥側（図５において左側から右側）に搬送し、第２のスパイラルローラ１２２は現像剤を攪拌しつつ奥側から手前側（図５において右側から左側）に搬送する。また、パドルローラ１２３は現像剤を攪拌しつつ上記現像剤適用手段１１０に送る。
【００１６】
上記現像ハウジング１０を構成するカバー壁１０５における上記第１のスパイラルローラ１２１および第２のスパイラルローラ１２２の上方に対向する位置には図６に示すように現像剤落下開口１０５ａを備えた現像剤カートリッジ装着部が設けられているとともに、該現像剤落下開口１０５ａよりも手前側における上記第１のスパイラルローラ１２１の上方に対向する位置にはトナー供給部１３０が設けられている。このトナー供給部１３０は、図３に示すようにカバー壁１０５に立設して形成された仕切り壁１３１、１３２、１３３と上記現像ハウジング１０の手前側端部に装着された手前側端板１４５とによって囲まれる空間１３４を備えている。この空間１３４内には、カバー壁１０５に立設して形成された隔壁１３５、１３６、１３７と上記手前側端板１４５およびカバー壁１０５とによって囲まれるトナー供給室１３８が設けられている。このトナー供給室１３８を形成するカバー壁１０５における手前側端部には図７に示すようにトナー落下開口１０５ｂが形成されている。トナー供給室１３８には上記トナー落下開口１０５ｂを開閉する円柱状の開閉弁１３９が配設されている。該開閉弁１３９と上記隔壁１３５との間にはコイルばね１４０が配設されており、該コイルばね１４０のばね力によって開閉弁１３９は上記手前側端板１４５に向けて付勢されている。なお、手前側端板１４５には、上記開閉弁１３９と対向する位置に開閉弁１３９の直径より小さい直径を有する開口１４５ａが形成されている。また、上記トナー供給部１３０を構成する空間１３４内には、該空間１３４を形成する仕切り壁１３１の下端から上記トナー供給室１３８を形成する隔壁１３５の上端に向けて傾斜する傾斜面を有するシール剥がし案内部材１４１が設けられている。なお、上記トナー供給部１３０の空間１３４を形成する現像剤カートリッジ装着部側の仕切り壁１３１には、図７に示すようにその下端部にシール挿通口１３１ａが設けられているとともに、その中間部に係止開口１３１ｂが設けられている。また、トナー供給部１３０の空間１３４を形成する仕切り壁１３２および１３３の上端部には、その各々内側に段差部１３２ａおよび１３３ａが設けられている。
【００１７】
上記トナー供給部１３０を構成する空間１３４の上側にはカバー部材１４２が着脱可能に配設される。合成樹脂によって一体成形されたカバー部材１４２は、平面状のカバー部１４３と該カバー部１４３の一端から略直角に延びる係合部１４４とからなり、該係合部１４４の先端には係合突起１４４ａが設けられている。このように構成されたカバー部材１４２をトナー供給部１３０に装着するには、カバー部１４３の他端部を上記手前側端板１４５に設けられた係止部１４５ｂに挿入係合し、係合部１４４を上記仕切り壁１３１の手前側の壁面に沿って下方に押すと、係合部１４４は弾性変形しつつ下降し、係合突起１４４ａが仕切り壁１３１に設けられた係止開口１３１ｂに係合せしめる。このとき、カバー部材１４２の両側下面が仕切り壁１３２および１３３に設けられた段差部１３２ａおよび１３３ａに当接する。このようにしてトナー供給部１３０に装着されたカバー部材１４２を外す場合は、後述する現像剤カートリッジが外された状態で、仕切り壁１３１の奥側から係止開口１３１ｂに例えばドライバーを差し込み、係合突起１４４ａを押すと係合部１４４が弾性変形して係止開口１３１ｂとの係合が外れ、この状態で係合部１４４を上方に持ち上げつつ奥側に移動させることにより、カバー部１４３の他端部を前端壁１０３に設けられた係止部１０３ｂから抜き取ればよい。
【００１８】
上記現像ハウジング１０を構成するカバー壁１０５における現像剤落下開口１０５ｂが設けられた現像剤カートリッジ装着部には、現像剤カートリッジ１５０が着脱自在に装着され適宜の固定手段によって固定されている。現像剤カートリッジ１５０は、キャリアとトナーとを所定の比率で混合した現像剤１５５を収納したカートリッジ本体１５１と、該カートリッジ本体１５１の下側に形成された開口を覆い溶着または接着剤によって剥離可能に装着されたシール部材１５２とを含んでいる。シール部材１５２はナイロンフィルムの如き可撓性を有する適宜の合成樹脂フィルムから形成され、一端がカートリッジ本体１５１の手前側端部に貼着されカートリッジ本体１５１の奥側の端部まで貼着した後に折り返されて、その他端部が上記仕切り壁１３１の下端部に形成されたシール挿通口１３１ａを通して上記シール剥がし案内部材１４１の上に配設される。そして、このシール部材１４１の他端は、上記トナー供給部１３０を構成する空間１３４の上側を通過して上記手前側端板１４５に設けられたシール挿通口１４５ｃを通して機体ハウジングの手前側に位置付けられている。なお、現像剤カートリッジ１５０を現像ハウジング１０に装着するときには、上記カバー部材１４２は外され、現像剤カートリッジ１５０を装着してシール部材１５２がシール剥がし案内部材１４１の上側を通過して上記手前側端板１４５に設けられたシール挿通口１４５ｃを通して機体ハウジングの手前側に位置付けらた後にカバー部材１４２を装着する。
【００１９】
上記のように構成された現像装置１０は、後述するように機体ハウジング２に着脱自在に装着される。現像装置１０の持ち運びを容易にするために、図示の実施形態においては図３、図４および図８に示すように現像ハウジング１０を構成するカバー壁１０５の上面に把手構造を備えている。把手構造は可撓性を有する合成樹脂ベルトによって構成された把手１６０を具備している。この把手１６０は、その両端部に各々長穴１６０ａ、長穴１６０ａが設けられており、該長穴１６０ａ、長穴１６０ａを挿通して配設された装着部材としてのビス１６１、１６１によってカバー壁１０５に取り付けられる。なお、ビス１６１、１６１は把手１６０の厚さより厚い段付き部１６１ａ、１６１ａが設けられており、従って、把手１６０は長穴１６０ａ、長穴１６０ａの範囲で移動することができる。このとき、両ビス間には把手１６０の下側に上記穂切りカバー１０６を構成する装着部１０６ｂに設けられた舌片部１０６ｃが挿入した状態で装着される。把手１６０とカバー壁１０５の間に舌片部１０６ｃが介在することによって、舌片部１０６ｃの両端上縁により把手１６０の中央部が浮き上げられ、把手１６０と舌片部１０６ｃとの間に空隙１６２が形成される。この空隙１６２によって把手１６０と舌片部１０６ｃとの間に指の先端を入れることが容易となり、把手１６０が持ち易くなる。図示の実施形態においては、把手１６０とカバー壁１０５の間に介在せしめる部材は、現像装置１０の構成部品である穂切りカバー１０６の一部からなっているので、上記間隙を形成するための部材を別途設ける必要がないため、安価な把手構造を得ることができる。
【００２０】
次に、機体ハウジング２に装着された現像装置１０を上記感光体ドラム６に近接する押圧位置と、該押圧位置から後退する押圧解除位置に作動せしめる押圧作動機構について、図９乃至図１２を参照して説明する。
機体ハウジング２内には、手前側側板２００と奥側側板２０１が互いに平行に配設されている。手前側側板２００と奥側側板２０１との間には固定板２０３がビス２０４等の固定手段によって取り付けられている。固定板２０３の下側には、２個の作動板２０５、２０５が各々支軸２０６、２０６によって回動可能に支持されている。２個の作動板２０５、２０５には、各々作動ピン２０７、２０７が固定されている。この作動ピン２０７、２０７は、夫々作動板２０５、２０５に上方に突出して取り付けられており、上記固定板２０３に形成された開口２０３ａ、２０３ａを貫通して配設されている。また、２個の作動板２０５、２０５には、各々ばね係止部２０５ａ、２０５ａが折り曲げ形成されており、該ばね係止部２０５ａ、２０５ａに各々引っ張りコイルばね２０８、２０８の一端が係止されている。引っ張りコイルばね２０８、２０８は、各々その他端が上記固定板２０３の下面に取り付けられた支持ブラケット２０９、２０９に係止され、夫々作動板２０５、２０５を支軸２０６、２０６を中心として図９において反時計方向に回動すべく付勢している。
【００２１】
上記２個の作動板２０５、２０５の下側には作動杆２１０が配設されている。この作動杆２１０には、長手方向（前後方向）に細長い長穴２１０ａ、２１０ａが形成されている。そして、作動杆２１０は、長穴２１０ａ、２１０ａを挿通し上記固定板２０３に取り付けられたブラケット２１１、２１１に固定された支持ピン２１２、２１２によって前後方向に移動可能に支持されている。この作動杆２１０には、上記作動板２０５、２０５と各々対応する位置に長手方向（前後方向）と直角方向に細長い長穴２１０ｂ、２１０ｂが形成されており、該長穴２１０ｂ、２１０ｂに上記作動板２０５、２０５における支軸２０６、２０６とばね係止部２０５ａ、２０５ａの中間位置に取り付けられた作用ピン２１５、２１５が挿通するように構成されている。従って、作動杆２１０を図９において矢印２１３で示す方向に作動すると作用ピン２１５、２１５を介して作動板２０５、２０５が支軸２０６、２０６を中心として図９において時計方向に回動せしめられ、作動杆２１０を図９において矢印２１４で示す方向に作動すると作用ピン２１５、２１５を介して作動板２０５、２０５が支軸２０６、２０６を中心として図９において反時計方向に回動せしめられる。
【００２２】
次に、上記作動杆２１０を矢印２１３および２１４に作動せしめる押圧作動機構について図９乃至図１１を参照して説明する。
機体ハウジング２に配設された上記手前側側板２００の手前側側面における上記作動杆２１０と対応する位置に、Ｌ字形の一対の支持ブラケット２３０、２３０が上記固定板２０３を取り付けたビス２０４、２０４によって共締めされている。この支持ブラケット２３０、２３０には、後述する押圧レバーを回動可能に支持する支持ピン２３１が水平に配設される。また支持ブラケット２３０、２３０には、上記支持ピン２３１を中心として略９０度の角度に渡って円弧状の長穴２３０ａが形成されている。このように構成された支持ブラケット２３０、２３０に押圧レバー２４０が装着される。押圧レバー２４０はレバー部２４１と装着部２４２とからなり、合成樹脂によって一体成形されている。押圧レバー２４０の装着部２４２が上記支持部ラケット２３０、２３０に装着される支持ピン２３１によって回動可能に取り付けられる。押圧レバー２４０の装着部２４２には案内ピン２４３が配設されており、この案内ピン２４３が上記支持部ラケット２３０、２３０に形成された円弧状の長穴２３０ａに嵌合するように構成される。従って、押圧レバー２４０が支持ピン２３１を中心として回動すると、案内ピン２４３が円弧状の長穴２３０ａに沿って移動する。円弧状の長穴２３０ａは上記のように略９０度の角度に渡って形成されているので、案内ピン２４３が略９０度の角度範囲移動することができるため、押圧レバー２４０は略９０度の角度範囲で回動することができる。即ち、図示の実施形態においては、押圧レバー２４０は図１０に示す垂直状態である第１の位置と、図１１に示す水平状態である第２の位置の範囲において回動することができる。このように構成された押圧レバー２４０は、連結リンク２４５を介して上記作動杆２１０と連結される。即ち、連結リンク２４５の一端は上記案内ピン２４３によって押圧レバー２４０の装着部２４２に連結され、連結リンク２４５の他端は上記作動杆２１０の一端と連結ピン２４６によって連結される。
【００２３】
図示の実施形態における押圧作動機構を構成する押圧レバー２４０は上記のように構成されており、以下、上記支持ピン２３１と案内ピン２４３および連結ピン２４６の位置関係について説明する。押圧レバー２４０が図１１に示すように水平状態である第２の位置に位置付けられた状態においては、案内ピン２４３が連結ピン２４６と支持ピン２３１とを結ぶ線より上側に位置付けられる。従って、上記引っ張りコイルばね２０８、２０８のばね力によって作動板２０５、２０５および作用ピン２１５、２１５を介して作動杆２１０を矢印２１４で示す方向に作動させようとする力は、連結ピン２４６および連結リンク２４５を介して案内ピン２４３に作用するため、図１１に示すように第２の位置に位置付けられた押圧レバー２４０には、支持ピン２３１を中心として図１１において反時計方向に回動させようとする力が作用するため、押圧レバー２４０は図１１に示す水平状態、即ち第２の位置に維持される。一方、押圧レバー２４０が図１０に示すように垂直状態である第１の位置に位置付けられた状態においては、案内ピン２４３が連結ピン２４６と支持ピン２３１とを結ぶ線より下側に位置付けられる。従って、上記作動杆２１０に作用する矢印２１４で示す方向の力は、連結ピン２４６、連結リンク２４５および案内ピン２４３を介して図１０に示すように第１の位置に位置付けられた押圧レバー２４０にピン２３１を中心として図１０において時計方向に回動させるように作用するため、押圧レバー２４０は図１０に示す垂直状態、即ち第１の位置に維持される。このように、図示の実施形態においては、押圧レバー２４０は上記第１の位置および第２の位置に位置付けられた状態で、上記引っ張りコイルばね２０８、２０８のばね力によって夫々その状態が維持されるので、振動等によってガタつくことはなく安定する。
【００２４】
上記固定板２０３の上側には移動載置板２２０が配設される。この移動載置板２２０は、図１２に示すように載置部２２１と、該載置部２２１の手前側端部から突出して設けられ下方に折り曲げ形成された第１の案内部２２２、２２２と、載置部２２１の奥側端部から上方に折り曲げ形成された第２の案内部２２３、および載置部２２１の後側端部から上方に折り曲げ形成された後壁部２２４を備えている。移動載置板２２０を構成する載置部２２１には、上記作動ピン２０７、２０７を嵌合する２個の長穴２２１ａ、２２１ａが形成されている。また、移動載置板２２０を構成する載置部２２１の後壁部２２４と反対側の端縁には、幅方向に延びる案内レール２２１ｂが設けられている。移動載置板２２０を構成する第１の案内部２２２、２２２には、案内長穴２２２ａ、２２２ａが形成されている。移動載置板２２０を構成する第２の案内部２２３には、２個の案内ピン２２６、２２６が外方に突出して取付けられているとともに、２個の位置決めピン２２７、２２７が内方に突出して取付けられている。上記移動載置板２２０を構成する後壁部２２４の上端縁には、幅方向に延びる案内レール２２４ｂが設けられている。このように構成された移動載置板２２０は、上記第１の案内部２２２、２２２が手前側側板２００の上端に載置され、第２の案内部２２３に取り付けられた案内ピン２２６、２２６が上記奥側側板２０１に形成された長穴２０１ａ、長穴２０１ａに嵌合されて水平状態に支持される。なお、この状態で第１の案内部２２２、２２２に形成された案内長穴２２２ａ、２２２ａには、各々手前側側板２００に取り付けられた案内ピン２２８が嵌合される。また、移動載置板２２０を構成する載置部２２１に形成された長穴２２１ａ、２２１ａには、上記作動ピン２０７、２０７が嵌合される。このように構成された移動載置板２２０の載置部２２１上に上記現像装置１０が着脱自在に載置される。現像装置１０を載置部２２１に載置するには、現像装置１０の奥側端部を載置部２２１の手前側に乗せ、奥側に押し込んでいく。このとき、現像ハウジング１００の底壁１０１に設けられた案内溝１０１ａを上記作動ピン２０７、２０７に嵌合しつつ現像装置１０を奥側に摺動させる。現像装置１０は所定の位置まで押し込まれると、移動載置板２２０を構成する第２の案内部２２３に取り付けられた２個の位置決めピン２２７、２２７に現像装置１０の奥側端壁に設けられた図示しない位置決め穴が嵌合して、現像装置１０は移動載置板２２０上の所定位置に載置される。
【００２５】
次に、機体ハウジング２の所定位置に移動可能に配設された移動載置板２２０と上記押圧レバー２４０の位置関係について説明する。図１０に示すように押圧レバー２４０は、垂直状態である第１の位置に位置付けられた状態においては、その一部（図示の実施形態においてはレバー部２４１）が移動載置板２２０の上面（載置面）より上側に位置している。従って、押圧レバー２４０が第１の位置に位置付けられた状態では、移動載置板２２０に現像装置１０を着脱することができない。そして、図示の実施形態においては、押圧レバー２４０が第１の位置に位置付けられた状態では、押圧レバー２４０のレバー部２４１が移動載置板２２０に載置された現像装置１０の手前側端部を構成する上記手前側端板１４５に設けられた把手１４６と対向する位置に位置付けられる。従って、押圧レバー２４０が第１の位置に位置付けられた状態では、現像装置１０を機体ハウジング２から引き出すときに用いる把手１４６を把持することができない。また、図１１に示すように押圧レバー２４０は、水平状態である第２の位置に位置付けられた状態においては、移動載置板２２０の上面（載置面）と略同一高さに位置している。従って、押圧レバー２４０が第１の位置に位置付けられた状態では、移動載置板２２０に現像装置１０を着脱することができる。案内テラスとして機能する第２の位置に位置付けられた押圧レバー２４０は、上記のように上記引っ張りコイルばね２０８、２０８によって第２の位置に保持されるように付勢されているので、ガタつくことなく安定し、上記現像装置１０の着脱操作が簡単かつ容易となる。
【００２６】
次に、上記現像装置１０にトナーを補給するためのトナー補給装置について、図５、図６および図１３および図１４を参照して説明する。
トナー補給装置３００は、機体ハウジング２内に設けられた手前側側板２００の手前側（図５、図６および図１３において左側）に配設される。図示の実施形態におけるトナー補給装置３００は、トナーカートリッジ３１０と、該トナーカートリッジ３１０を着脱可能に装着するホッパー３３０と、該ホッパー３３０を収納支持するホッパー支持ハウジング３５０と、該ホッパー支持ハウジング３５０を機体ハウジング２に水平面内において回動可能に支持する開閉支持手段３８０とを具備している。
【００２７】
上記トナーカートリッジ３１０は公知の構成でよく、トナーを収納したトナーカートリッジ本体３１１を備えている。トナーカートリッジ本体３１１の底壁には開口（図示せず）が形成されており、底壁の底面に開口を閉塞するフィルム状のシール部材（図示せず）が剥離可能に装着されている。このシール部材は、ホッパー３３０に装着された後、図示しないシール巻取り手段によって剥離されるように構成されている。
【００２８】
上記ホッパー３３０は、ホッパー本体３３１と、該ホッパー本体３３１の上部に設けられ上記トナーカートリッジ３１０を着脱可能に装着するトナーカートリッジ装着部３３２と、ホッパー本体３３１の下部に配設され上記現像装置１０にトナーを搬送するトナー搬送手段３３３を備えている。トナー搬送手段３３３は、ホッパー本体３３１の下部から水平に突出して配設されたスパイラルローラ３３４と、該スパイラルローラ３３４の突出部に嵌合された案内筒３３５を備えている。この案内筒３３５の先端部下側にはトナー排出口３３５ａが形成されている。なお、トナー搬送手段３３３を構成するスパイラルローラ３３４の回転軸３３４ａには、後述する駆動手段と伝動連結する入力歯車３３６が装着されている。
【００２９】
上記ホッパー支持ハウジング３５０は、底壁３５１と前壁３５２と後壁３５３および側壁３５４とによって箱状に構成されている。なお、前壁３５２には上記スパイラルローラ３３４の突出部が貫通可能な開口が設けられている。このように構成されたホッパー支持ハウジング３５０の上端には中央部に開口を有する取付け板３５６が装着され、この取付け板３５６に上記ホッパー３３０が装着されるようになっている。ホッパー支持ハウジング３５０内には、上記スパイラルローラ３３４を回転駆動するための駆動手段３６０が配設されている。この駆動手段３６０は、電動モータ３６１と、該電動モータ３６１の回転軸に装着された駆動歯車３６２と、該駆動歯車３６２と噛み合う第１の中間歯車３６３と、該第１の中間歯車３６３および上記スパイラルローラ３３４の入力歯車３３６と噛み合う第２の中間歯車３６４とによって構成されている。
【００３０】
上記開閉支持手段３８０は、機体ハウジング２内に配設された手前側側板２００および後側板２０２にボルト・ナット等の固定手段３８１によって装着された支持部材３８２と、該支持部材３８２の上側に配設され後側板２０２にボルト・ナット等の固定手段３８３によって装着された開閉案内部材３８４を備えている。支持部材３８２には機体ハウジングの前後方向（図５および図１４において左右方向）に細長く形成された直線状の第１の案内穴３８２ａが設けられている。上記開閉案内部材３８４には、支持部材３８２に設けられた第１の案内穴３８２ａと平行に形成された直線部３８４ｂと、該直線部３８４ｂの手前側端部（図５および図１４において左端部）と連続して形成された円弧部３８４ｃとを有する第２の案内穴３８４ａが設けられている。この第２の案内穴３８４ａと上記第１の案内穴３８２ａとの関係について説明すると、第２の案内穴３８４ａを構成する直線部３８４ｂの長さは第１の案内穴３８２ａの長さと同一に構成されており、第２の案内穴３８４ａを構成する円弧部３８４ｃは第１の案内穴３８２ａの手前側端部を中心とし第１の案内穴３８２ａと第２の案内穴３８４ａを構成する直線部３８４ｂとの間隔寸法を半径とする略９０度の角度に渡る円弧に構成されている。
【００３１】
上記第１の案内穴３８２ａには上記ホッパー支持ハウジング３５０を構成する底壁３５１に装着された支持板３８５に取り付けられた第１の案内ピン３８６が移動可能に嵌合され、上記第２の案内穴３８２ａには上記ホッパー支持ハウジング３５０の上端に装着された取付け板３５６取り付けられた第２の案内ピン３８７が移動可能に嵌合される。そして、第１の案内ピン３８６と第２の案内ピン３８７は、トナー補給装置３００が図４、図５および図１３に示す作用位置に位置付けられた状態で夫々第１の案内穴３８２ａと第２の案内穴３８４ａを構成する直線部３８４ｂの奥側端部に位置するように配設されている。従って、トナー補給装置３００を作用位置から手前側（図５、図６および図１４において左側）に引くと、第１の案内ピン３８６と第２の案内ピン３８７が上記第１の案内穴３８２ａと第２の案内穴３８４ａを構成する直線部３８４ｂに沿って夫々その手前側端部まで移動し、この状態からトナー補給装置３００を第１の案内ピン３８６を中心として図１４において反時計方向に回動すると第２の案内ピン３８７が第２の案内穴３８４ａを構成する円弧部３８４ｃに沿って移動し、図１３に示すように略９０度の角度移動した開放位置で該円弧部３８４ｃの端部に当接してその移動が規制される。このように、トナー補給装置３００を構成するホッパー３３０は、作用位置から機体ハウジング２の手前側側方に所定距離移動した後に、その回動位置で水平面内で回動することができる。なお、ホッパー３３０が作用位置に位置付けられた状態で、トナー搬送手段３３３の先端部が図６に示すように上記現像装置１０のトナー供給部１３０のトナー供給室１３８に配設された開閉弁１３９を押し退けてトナー供給室１３８に位置付けられる。
【００３２】
本発明に従って構成された画像形成機は以上のように構成されており、以下その作用について説明する。
現像装置１０の交換作業を行うには、機体ハウジング２の前面に装着された前カバー２ａを図２で示すように開放した後、トナー補給装置３００を構成するホッパー３３０を図５、図６および図１３に示す作用位置から機体ハウジング２の手前側側方に所定距離（第１の案内穴３８２ａおよび第２の案内穴３８４ａを構成する直線部３８４ｂの長さ）移動すると、トナー搬送手段３３３の先端部が上記現像装置１０のトナー供給部１３０から抜け出す。従って、トナー搬送手段３３３の先端部が上記現像装置１０と干渉することなく回動することが可能となる。トナー補給装置３００を機体ハウジング２の手前側側方に所定距離引き出した後に、第１の案内ピン３８６を中心として図１３において反時計方向に回動すると第２の案内ピン３８７が第２の案内穴３８４ａを構成する円弧部３８４ｃに沿って移動し、図１４に示すように略９０度の角度移動した開放位置で該円弧部３８４ｃの端部に当接してその移動が規制される。この状態で機体ハウジング２における現像装置１０の手前側が開放されることになる。
【００３３】
次に、押圧作動機構を構成する押圧レバー２４０を図９および図１０に示す第１の位置である垂直状態から支持ピン２３１を中心として手前側下方（図１０において支持ピン２３１を中心として反時計方向）に回動すると案内ピン２４３が円弧状の長穴２３０ａに沿って移動し、略９０度の角度回動すると案内ピン２４３が円弧状の長穴２３０ａの端部に当接して図１１に示す第２の位置である水平状態となる。押圧レバー２４０が図１１に示す第２の位置に位置付けられると、機体ハウジング２内に配設された手前側側板２００における現像装置１０の手前側が開放される。一方、押圧レバー２４０の第２の位置への作動に伴い、案内ピン２４３、連結リンク２４５および連結ピン２４６を介して作動杆２１０が図１０および図１１において矢印２１３で示す方向に作動せしめられる。作動杆２１０が図１０および図１１において矢印２１３で示す方向に作動すると作用ピン２１５、２１５を介して作動板２０５、２０５が支軸２０６、２０６を中心として図９において時計方向に回動せしめられる。これにより、作動板２０５、２０５に装着された作動ピン２０７、２０７が支軸２０６、２０６を中心として図９において時計方向に回動するため、該作動ピン２０７、２０７と長穴２２１ａ、２２１ａおよび案内溝１０１ａが嵌合している移動載置板２２０および現像ハウジング１００を備えた現像装置１０は、図４および図９において右方に移動され、現像装置１０は感光体ドラム２から後退せしめられて押圧解除位置（脱着位置）に位置付けられる。
【００３４】
この状態で現像装置１０を手前側端板１４５に設けられた把手１４６を把持して手前側に引き出すと、水平状態にある第２の位置に位置付けられた押圧レバー２４０に案内されて機体ハウジング２の手前側に引き出すことができる。なお、現像装置１０を現像ハウジング１００から引き出す際に、ある程度引き出したら現像装置１０の機体ハウジング２を構成するカバー壁１０５の上面に装着された把手１６０と上記舌片部１０６ｃとの間に形成された空隙１６２に指の先端を入れ、把手１６０を持って現像装置１０を容易に引き出すことができる。このように、押圧レバー２４０を図１１に示す水平状態である第２の位置に位置付けないと、機体ハウジング２内に配設された手前側側板２００における現像装置１０の手前側が開放されないので、現像装置１０が現れないため、押圧レバー２４０を第２の位置に位置付けて現像装置１０の感光体ドラム２側への押圧を解除した状態でないと現像装置１０を引き出すことができない。従って、現像装置１０を引き出す際には、必ず現像装置１０の現像剤適用手段１１０を構成するスリーブ部材１１１と感光体ドラム２とは引き離されているので、感光体ドラム２とスリーブ部材１１１が擦れて感光体ドラム２およびスリーブ部材１１１を損傷することが未然に防止される。
【００３５】
機体ハウジング２に装着されていた使用済の現像装置１０を引き出したならば、新しい現像装置１０を機体ハウジング２に配設された移動載置板２２０の載置部２２１上に載置する。現像装置１０を載置部２２１に載置するには、押圧レバー２４０が図１１に示す水平状態である第２の位置に維持された状態で、現像装置１０の奥側端部を載置部２２１の手前側に乗せ、上記案内レール２２１ｂ、２２４ｂに沿って奥側に押し込んでいく。このとき、現像ハウジング１００の底壁１０１に設けられた案内溝１０１ａを上記作動ピン２０７、２０７に嵌合しつつ現像装置１０を奥側に摺動させる。現像装置１０は所定の位置まで押し込まれると、移動載置板２２０を構成する第２の案内部２２３に取り付けられた２個の位置決めピン２２７、２２７に現像装置１０の奥側端壁に設けられた図示しない位置決め穴が嵌合して、現像装置１０は移動載置板２２０上の所定位置に載置される。
【００３６】
このようにして、機体ハウジング２に配設された移動載置板２２０の所定位置に新しい現像装置１０を載置したならば、押圧作動機構を構成する押圧レバー２４０を図１１に示す水平状態である第２の位置から支持ピン２３１を中心として上方（図１１において支持ピン２３１を中心として時計方向）に回動すると案内ピン２４３が円弧状の長穴２３０ａに沿って移動し、略９０度の角度回動すると案内ピン２４３が円弧状の長穴２３０ａの端部に当接して図１０に示す垂直状態である第１の位置となる。押圧レバー２４０の第１の位置への作動に伴い、案内ピン２４３、連結リンク２４５および連結ピン２４６を介して作動杆２１０が図１０および図１１において矢印２１４で示す方向に作動せしめられる。作動杆２１０が図１０および図１１において矢印２１４で示す方向に作動すると作用ピン２１５、２１５を介して作動板２０５、２０５が支軸２０６、２０６を中心として図９において反時計方向に回動せしめられる。これにより、作動板２０５、２０５に装着された作動ピン２０７、２０７が支軸２０６、２０６を中心として図９において反時計方向に回動するため、該作動ピン２０７、２０７と長穴２２１ａ、２２１ａおよび案内溝１０１ａが嵌合している移動載置板２２０および現像ハウジング１００を備えた現像装置１０は、図４および図９において右方に移動され、現像装置１０は感光体ドラム２側に押圧する押圧位置に位置付けられる。このように、現像装置１０が押圧位置に位置付けられた状態においては、押圧レバー２４０は垂直状態である第１の位置にあるため、現像装置１０を押圧位置で引き出すことはできない。
【００３７】
次に、トナー補給装置３００を上記開放位置から第１の案内ピン３８６を中心として図１４において時計方向に回動すると第２の案内ピン３８７が第２の案内穴３８４ａを構成する円弧部３８４ｃに沿って移動し、略９０度の角度移動した位置で第２の案内穴３８４ａを構成する直線部３８２ｂに当接してその回動が規制される。この状態から、トナー補給装置３００を奥側に押すと第１の案内ピン３８６および第２の案内ピン３８７が第１の案内穴３８２ａおよび第２の案内穴３８４ａを構成する直線部３８４ｂに沿って奥側に移動し、その奥側端に当接した状態で図５、図６および図１３に示す作用位置に位置付けられる。トナー補給装置３００が作用位置に位置付けられる際に、トナー搬送手段３３３の先端部が上記現像装置１０のトナー供給部１３０のトナー供給室１３８に配設された開閉弁１３９をコイルばね１４０の力に抗して押し退けトナー供給室１３８に位置付けられる。なお、トナー補給装置３００を作用位置に位置付けるに際しては、押圧レバー２４０を図１０に示す垂直状態である第１の位置に位置付けないとトナー補給装置３００が押圧レバー２４０に干渉して作用位置に位置付けることができないため、現像装置１０を感光体ドラム２側に押圧する押圧位置への位置付け忘れを防止することができる。このようにして、トナー補給装置３００を作用位置に位置付けたならば、機体ハウジング２の前面に装着された前カバー２ａを図２で示すように開放した状態から上方に回動して閉めることにより、再び複写可能状態となる。
【００３８】
次に、現像剤カートリッジ１５０だけの交換作業について説明する。
上記のようにして、現像装置１０を機体ハウジング２から引き出したならば、現像ハウジング１０を構成するカバー壁１０５上に装着された現像剤カートリッジ１５０を取り外す。そして、トナー供給部１３０を構成する仕切り壁１３１の奥側から係止開口１３１ｂに例えばドライバーを差し込み、カバー部材１４２の係合突起１４４ａを押すと係合部１４４が弾性変形して係止開口１３１ｂとの係合が外れ、この状態でカバー部材１４２のカバー部１４４を上方に持ち上げつつ奥側に移動させることにより、カバー部１４３の他端部を前端壁１０３に設けられた係止部１０３ｂから抜き取りカバー部材１４２を取り外す。
【００３９】
次に、現像ハウジング１００を構成するカバー壁１０５の所定位置に新しい現像剤カートリッジ１５０を適宜の固定手段によって装着する。そして、該カートリッジ本体１５１の底壁底面に装着されたシール部材１５２の他端を上記仕切り壁１３１の下端部に形成されたシール挿通口１３１ａ、上記シール剥がし案内部材１４１上、上記トナー供給部１３０を構成する空間１３４の上側を通過して上記手前側端板１４５に設けられたシール挿通口１４５ｃを通して機体ハウジングの手前側に位置付ける。その後、カバー部材１４２を装着する。
【００４０】
上記のようにして、現像装置１０の現像ハウジング１００に新しい現像剤カートリッジ１５０が装着されたならば、上記現像装置１０の交換と同様にて新しい現像剤カートリッジ１５０が装着された現像装置１０を現像ハウジング２に装着し、上記シール部材１５２の他端を引っ張ってシール部材１５２を剥がす。そして、トナー補給装置３００を作用位置に位置付けた後に、機体ハウジング２の前面に装着された前カバー２ａを図２で示すように開放した状態から上方に回動して閉めることにより、再び複写可能状態となる。以上、現像剤カートリッジ１５０の交換作業について説明したが、現像剤カートリッジ１５０の交換作業はユーザーではなくサービスマンが実施する。上記シール部材１５２を剥がす際に該シール部材１５２が通過するトナー供給部の上側を覆うカバー部材１４２は、上記のように現像ハウジング１００を構成するカバー壁１０５の所定位置に装着された現像剤カートリッジ１５０を取り外さないと、係止開口１３１ｂにドライバー等をを差し込むことができないので、現像剤カートリッジ１５０を装着した状態で交換作業を行う現像装置２の交換時には上記カバー部材１４２が外れることはない。従って、一般ユーザーは汚れる可能性のある上記カバー部材１４２を外すことができないため、現像装置２の交換時に上記カバー部材１４２が外れることによって生ずる汚れが未然に防止される。
【００４１】
【発明の効果】
本発明による画像形成機は以上のように構成されているので、以下の作用効果を奏する。
【００４３】
即ち、本発明によれば、機体ハウジングに配設された移動載置板に着脱可能に装着される現像装置を、感光体ドラムに近接する押圧位置と該押圧位置から後退する押圧解除位置に作動せしめる押圧作動機構は、機体ハウジングに配設された手前側側板の手前側側面における該移動載置板の装着位置と対応する位置に配設された押圧レバーを備え、該押圧レバーが現像装置を押圧位置に位置付ける第１の位置と、現像装置を押圧解除位置に位置付ける第２の位置に作動可能に構成されており、第１の位置に位置付けられた状態ではトナー補給装置の開放位置から作用位置への作動を許容し、第２の位置に位置付けられた状態ではトナー補給装置の開放位置から作用位置への作動を規制するように構成されているので、押圧レバーが現像装置を押圧位置に位置付ける第１の位置にない場合にはトナー補給装置を作用位置に作動することができない。従って、現像装置の交換時にトナー補給装置を作用位置に位置付けることによって現像装置が押圧位置に位置付けられていることが保証されるので、現像装置の押圧位置への位置付け忘れによって生ずる現像不良を未然に防止することができる。
【図面の簡単な説明】
【図１】本発明に従って構成された画像形成機の一実施形態を示す概略構成断面図。
【図２】図１の画像形成機の斜視図。
【図３】図１の画像形成機に装着される現像装置の平面図。
【図４】図３の現像装置を移動載置板に装着した状態を示す断面図で感光体ドラムとの関係を示す図。
【図５】図１の画像形成機に装着する現像装置およびトナー補給装置の平面図。
【図６】図５に示す現像装置およびトナー補給装置の一部を破断して示す側面図。
【図７】図３におけるＡ−Ａ線断面図。
【図８】図３の現像装置に装着される把手の装着状態を示す一部を破断して示す正面図。
【図９】図１の画像形成機に装着する現像装置押圧手段の一部を破断して示す平面図。
【図１０】図９の現像装置押圧手段の押圧状態を示すもので一部を破断して示す側面図。
【図１１】図９の現像装置押圧手段の押圧解除状態を示す側面図。
【図１２】図９の現像装置押圧手段に装備される移動載置板の斜視図。
【図１３】図５に示すトナー補給装置の破断して示す正面図。
【図１４】図５のトナー補給装置を構成するホッパーを開放位置に作動した状態を示す平面図。
【符号の説明】
２：機体ハウジング
２ａ：前カバー
４：静止透明板
５：原稿押さえ板
６：感光体ドラム
８：帯電用コロナ放電器
１０：現像装置
１２：転写用コロナ放電器
１４：剥離用コロナ放電器
１６：クリーニングユニット
１８：除電ランプ
２０：照射ランプ
２２：第１のミラー
２４：第２のミラー
２６：第３のミラー
２８：レンズ
３０：第４のミラー
３２：転写紙供給装置
３４ａ、３４ｂ：転写紙カセット
３６ａ、３６ｂ：転写紙送出ローラ
３８ａ、３８ｂ：さばきローラ対
４０：案内路
４２、４４：搬送ローラ対
４６：レジストローラ対
４８：転写紙搬送ベルト機構
５０：定着装置
５２：定着ローラ対
５４：排出ローラ対
１００：現像ハウジング
１０１：底壁
１０１ａ：案内溝
１０５：カバー壁
１０５ａ：現像剤落下開口
１０５ｂ：トナー落下開口
１１０：現像剤適用手段
１２０：現像剤攪拌搬送手段
１２１：第１のスパイラルローラ
１２２：第２のスパイラルローラ
１２３：パドルローラ
１３０：トナー供給部
１３８：トナー供給室
１３９：開閉弁
１４０：コイルばね
１４１：シール剥がし案内部材
１４２：カバー部材
１４５：手前側端板
１４６：把手
１５０：現像剤カートリッジ
１５１：カートリッジ本体
１５２：シール部材
１６０：把手
２００：手前側側板
２０１：奥側側板
２０３：固定板
２０５：作動板
２０６：支軸
２０７：作動ピン
２０８：引っ張りコイルばね
２１０：作動杆
２２０：移動載置板
２４０：押圧レバー
２４５：連結リンク
３００：トナー補給装置
３１０：トナーカートリッジ
３３０：ホッパー
３３１：ホッパー本体
３３２：トナーカートリッジ装着部
３３３：トナー搬送手段
３３４：スパイラルローラ
３３５：案内筒
３５０：ホッパー支持ハウジング
３６０：駆動手段
３６１：電動モータ
３８０：開閉支持手段
３８２：支持部材
３８２ａ：第１の案内穴
３８４：開閉案内部材
３８４ａ：第２の案内穴
【図１】
0003622128.tif 000002
【図２】
0003622128.tif 000003
【図３】
0003622128.tif 000004
【図４】
0003622128.tif 000005
【図５】
0003622128.tif 000006
【図６】
0003622128.tif 000007
【図７】
0003622128.tif 000008
【図８】
0003622128.tif 000009
【図９】
0003622128.tif 000010
【図１０】
0003622128.tif 000011
【図１１】
0003622128.tif 000012
【図１２】
0003622128.tif 000013
【図１３】
0003622128.tif 000014
【図１４】
0003622128.tif 000015